(57)【特許請求の範囲】
【請求項１】
上球受皿に対して賞品球を払い出す賞品球口からこぼれ落ちたこぼれ球を回収する賞品球誘導通路が、パチンコ機の幅方向中央付近に設置されているパチンコ機であって、
前記賞品球誘導通路の側方に隣接して、前記パチンコ機の幅方向中央寄りにスピーカーを収納するスピーカー収納壁を有し、
前記スピーカー収納壁の外壁面には、前記賞品球口から落下するこぼれ球を受けて左右に振り分ける振り分け面が形成されており、
前記振り分け面によって、一方向に振り分けられたこぼれ球が第１の球流路によって前記賞品球誘導通路に導かれ、他方向に振り分けられたこぼれ球が前記第１の球流路よりも広い第２の球流路を通って前記スピーカー収納壁の下方に位置するこぼれ球誘導板上に落下し、そのこぼれ球誘導板によって前記賞品球誘導通路に導かれる構成であることを特徴とするパチンコ機。
【請求項２】
請求項１に記載されたパチンコ機であって、
前記振り分け面の頂部付近には、こぼれ球が前記第２の球流路側へはね返るように傾斜したガイド斜面が形成されていることを特徴とするパチンコ機。
【発明の詳細な説明】
【０００１】
【産業上の利用分野】
この発明は、スピーカーと、正規の球通路から外れてこぼれ落ちたこぼれ球を回収する機構を備えるパチンコ機に関する。
【０００２】
【従来の技術】
従来の技術としては例えば実公平５−２９７４８号公報がある。
この公報には前枠の正面内側に設置された遊技補助盤の賞球用の出口部分の前側にはセット部材が取着され、このセット部材の右方にはこぼれ球を下部球皿へ通出させる球排出樋部を成形し、セット部材の左方にはスピーカ用の収容ケース部を形成したパチンコ機が開示されている。
【０００３】
【発明が解決しようとする課題】
本発明は、スピーカー用の収容ケースを利用することで、多量のこぼれ球が流下する場合における球詰りを少なくすることを課題とするものである。
【０００４】
【課題を解決するための手段】
上記した課題は請求項１の発明によって解決される。
請求項１の発明は、上球受皿に対して賞品球を払い出す賞品球口からこぼれ落ちたこぼれ球を回収する賞品球誘導通路が、パチンコ機の幅方向中央付近に設置されているパチンコ機であって、前記賞品球誘導通路の側方に隣接して、前記パチンコ機の幅方向中央寄りにスピーカーを収納するスピーカー収納壁を有し、前記スピーカー収納壁の外壁面には、前記賞品球口から落下するこぼれ球を受けて左右に振り分ける振り分け面が形成されており、前記振り分け面によって、一方向に振り分けられたこぼれ球が第１の球流路によって前記賞品球誘導通路に導かれ、他方向に振り分けられたこぼれ球が前記第１の球流路よりも広い第２の球流路を通って前記スピーカー収納壁の下方に位置するこぼれ球誘導板上に落下し、そのこぼれ球誘導板によって前記賞品球誘導通路に導かれる構成であることを特徴とする。
【０００５】
請求項２の発明は、請求項１に記載されたパチンコ機であって、前記振り分け面の頂部付近には、こぼれ球が前記第２の球流路側へはね返るように傾斜したガイド斜面が形成されていることを特徴とする。
【０００６】
【作用】
本発明によると、スピーカーを収納するスピーカー収納壁の上方からこぼれ落ちたこぼれ球はスピーカー収納壁の振り分け面ではね返されて第１の球流路若しくはこの第１の球流路より広いスペースを有する第２の球流路に振り分けられる。第１の球流路を通過したこぼれ球は賞品球誘導通路を介して下球受皿に回収される。第２の球流路を通過したこぼれ球はこぼれ球誘導板によって賞品球誘導通路に導かれ、同じくその賞品球誘導通路を介して下球受皿に回収される。
【０００７】
請求項２の発明では、ベース枠体の賞品球口からこぼれ落ちたこぼれ球が振り分け面の頂部付近のガイド斜面に衝突すると、そのこぼれ球が広いスペースを有する第２の球流路側へはね返され、第２の球流路を通過して球誘導ケース内に導入される。
【０００８】
【発明の効果】
請求項１によれば、正規の球通路から外れてスピーカー収納壁の上方からこぼれ落ちたこぼれ球をベース枠体に形成したスピーカー収納壁およびこぼれ球誘導板によって賞品球誘導通路に集めて球受皿内に自動的に回収することができ、こぼれ球を集めて回収する機構を簡略化することができるとともに、スピーカー収納壁の上方からこぼれ落ちたこぼれ球を的確に回収してこぼれ球がパチンコ機外へ転り落ちる不具合を解消することができる。
【０００９】
請求項２によれば、前賞品口からこぼれ落ちたこぼれ球をこぼれ球が通過し易い第２の球流路側へ集めてスムースに回収することができ、こぼれ球流路での球詰りを少なくすることができる。
【００１０】
【実施例】
次に、本発明の１実施例を図面にしたがって説明する。
パチンコ機の木枠１は定位置に立設される角筒状の後枠部１ａと、この後枠部１ａにヒンジによって前方への回動可能に結合されて後枠部１ａの前側に設置された方形枠状の前枠部１ｂとによって形成されている。
【００１１】
図１において、木枠１の前枠部１ｂの前面に取付けられた窓枠３にはガラスが枠内に嵌め込まれたガラス扉４と、上皿口６ａを有する上球受皿６が前面に取付けられた前板５とが上下に隣接してそれぞれ前方への回動可能に結合されている。前板５の裏面には上球受皿６内の遊技球を球発射起点へ１個づつ送り出す球送り機構が取付けられている。
【００１２】
木枠１の前枠部１ｂの前面の下端部には下皿口７ａを有する下球受皿７が取付けられるとともに、前枠部１ｂの下端部には発射ハンドル８が回動可能に軸支されている。
【００１３】
木枠１の前枠部１ｂの裏面には合成樹脂製のベ−ス枠体９がビスによって固定されている。
【００１４】
ベ−ス枠体９にはその下部に配設されて木枠１の前枠部１ｂの下端部裏面にビス止めされ、前板５の後側に立設されたセット板１０と、このセット板１０の上方に立設されて木枠１の前枠部１ｂの開口部とほぼ等しい形状の開口部が開口されたセット枠１１とが形成され、このセット枠１１の開口部内には遊技盤１２が後方への取出し可能に嵌め込まれてセットされる。
【００１５】
遊技盤１２の下端部の左右方向中央部には遊技盤面１２ａに打出されて入賞せずに落下したアウト球が落入するアウト口３６が開設されるとともに、このアウト口３６の下方で遊技盤１２の裏面下端部にはアウト口３６に落入したアウト球を遊技盤１２の下方へ誘導するアウト球誘導溝３７が凹設されている。
【００１６】
セット枠１１の下枠部には上球受皿６の上皿口６ａの後側に設置されて賞品球を上皿口６ａに導入する賞品球口２０が開設されている。
【００１７】
セット板１０の前面は遊技盤面１２ａにほぼ整合され、このセット板１０の前面には上球受皿６内から送り出された遊技球を球発射起点となる基端部で受止めて発射球を遊技盤面１２ａへ案内する発射レ−ル１５が先上り姿勢で固定されている。
【００１８】
また、セット板１０には球発射起点上の遊技球を遊技盤面１２ａへ向けて発射させる発射機構が取付けられている。
【００１９】
セット板１０の裏面にはその中央部付近に外方へ先下り状に傾斜した状態で設置されたアウト球誘導板２４と、このアウト球誘導板２４の外方に内方へ先下り状に傾斜した状態で間隙を隔てて設置されたこぼれ球誘導板２５とが連接されている。
【００２０】
アウト球誘導板２４上にはアウト口３６から転り出てアウト球誘導溝３７内を通り、遊技盤１２の下方へ転落したアウト球を斜め下方へ誘導するアウト球誘導通路５２が形成されている。
【００２１】
こぼれ球誘導板２５の先端部上にはセット板１０の裏面にアウト球誘導通路５２の先方で連接されてこぼれ球誘導板２５の先方へのアウト球の飛び出しを阻止する規制壁５３が立設されている。
【００２２】
セット板１０の中央部付近には左右１対の垂直な側壁部２６ａと、この両側壁部２６ａの後端縁に直交状に連接された後壁部２６ｂと、両側壁部２６ａおよび後壁部２６ｂの下端縁に連接されて前下り状に傾斜した底壁部２６ｃとを有し、上端に球入口２６ｄが開設された球誘導ケース２６が一体状に形成されている。
【００２３】
球誘導ケース２６は遊技者に払い出される賞品球およびファール球を上方から受入れて前下方の下球受皿７内へ送り出す目的で設置され、この球誘導ケース２６内には賞品球およびファール球が通過する賞品球誘導通路３２が形成されている。
【００２４】
球誘導ケース２６の表面には後壁部２６ｂおよび底壁部２６ｃを補強する複数本の補強リブ２６ｅが後壁部２６ｂの後面と底壁部２６ｃの下面とにわたって並行状に突出形成されている。
【００２５】
球誘導ケース２６の内壁面の上下部にはこの球誘導ケース２６内へ落下するパチンコ球の落下起点からそのパチンコ球が衝突する落下地点までの落差を縮小してパチンコ球の落下衝撃を緩衝する目的で球誘導ケース２６内に互に逆方向へ先下り状に傾斜した姿勢で設置された上下１対の緩衝板２７，２７が連接され、上側の緩衝板２７の前部は下側の緩衝板２７の前方へ延出されている。
【００２６】
球誘導ケース２６内へ落下した賞品球は上側の緩衝板２７に衝突して上側の緩衝板２７を伝って転動してから、下側の緩衝板２７に衝突して下側の緩衝板２７を伝って転動し、さらに球誘導ケース２６の底壁部２６ｃ上へ転落するか、若しくは下側の緩衝板２７に衝突してから底壁部２６ｃ上へ転落し、球誘導ケース２６内へ落下した賞品球の落下衝撃が両緩衝板２７によって緩衝される。
【００２７】
球誘導ケース２６の後壁部２６ｂの中央部付近および下端には下側の緩衝板２７の先端縁の上方および下方にそれぞれ配設されて賞品球誘導通路３２を通行するパチンコ球およびその通行状態を監視する３個１組の賞品球透視孔３１がそれぞれ開設されている。
【００２８】
従って、球誘導ケース２６内の下部で球詰まりが発生したときにこの球詰まりを賞品球透視孔３１によって見分けることができる。
【００２９】
球誘導ケース２６内の上部には球誘導ケース２６の後壁部２６ｂに連接されて前方へ突出された支軸３８によって左右方向への搖動可能に支持されて球誘導ケース２６内にパチンコ球が充満したときに搖動する満タン検出片３９が、上側の緩衝板２７によって覆われた状態で設置されている。
【００３０】
満タン検出片３９にはセット板１０の前面に取付けられた満タン検出スイッチ４７の触動片４７ａを満タン時に押上げる突片３９ａが突出形成されている。
【００３１】
セット板１０の裏面には上端縁がこぼれ球誘導板２５の先端縁に連接され垂直な縦壁板１３と、上端縁がこの縦壁板１３の下端縁に連接されて内端縁が球誘導ケース２６に連接され、断面形状がＬ形状に曲折された樋板１４とが一体状に形成され、樋板１４の下片１４ａの上面には上面が後下り状に傾斜した複数個の突条１４ｂが並行状に凸設されている。
【００３２】
球誘導ケース２６と縦壁板１３との間には左右１対の側壁部２９ａと、この両側壁部２９ａの後端縁に連接された後壁部２９ｂと、後壁部２９ｂの下端縁に連接されて前方へ若干突出された底壁部２９ｃとを有し、セット板１０に取外し可能に係止されて球誘導ケース２６の側方で樋板１４上に設置された遊技球集合ケース２９が挟み込まれている。
【００３３】
遊技球集合ケース２９内にはセーフ球およびアウト球を集めてパチンコ機外へ誘導する遊技球排出通路３０が形成され、樋板１４と、遊技球集合ケース２９の下面と、球誘導ケース２６の側面との間には遊技球集合ケース２９の下方に形成されて遊技球集合ケース２９内へ落入して遊技球排出通路３０を通り抜けたアウト球およびセーフ球を後方へ誘導してパチンコ機外へ排出する遊技球排口３３が開設されている。
【００３４】
アウト球誘導通路５２を通り抜けたアウト球およびこぼれ球誘導板２５の先端部から転がり落ちたこぼれ球は遊技球集合ケース２９内へ落入し、遊技球排出口３３を通り抜けてパチンコ機外へ排出される。
【００３５】
セット板１０の前面にはその前方へ突出されて球誘導ケース２６の側方に隣設され、内部にスピーカー１７が収納された円筒状のスピーカー収納壁２１と、前方へ突出されてスピーカー収納壁２１の両側方および内方に横一列に配列された３つの丸棒状のカバー板取付け軸５１とがそれぞれ一体状に突設されている。
【００３６】
スピーカー収納壁２１の内方には球誘導ケース２６内の賞品球誘導通路３２に連通され、正規の球通路から外れてスピーカー収納壁２１の上方からこぼれ落ちて球誘導ケース２６内へ導入されるこぼれ球が通過する第１の球流路４２が形成され、スピーカー収納壁２１の外方には第１の球流路４２のスペースより広いスペースを有し、正規の球通路から外れてスピーカー収納壁２１の上方からこぼれ落ちたこぼれ球が通過する第２の球流路４３が形成され、スピーカー収納壁２１は第１の球流路４２と第２の球流路４３との間に設置されている。
【００３７】
スピーカー収納壁２１の外壁面の上部にはその上方の賞品球口２０や遊技盤１２の前側からこぼれ落ちたこぼれ球をはね返して両こぼれ球流路４２，４３のうちの一方へ振り分ける振り分け面２１ａが円弧面状に形成されている。
【００３８】
振り分け面２１ａの頂部付近には賞品球口２０からこぼれ落ちてスピーカー収納壁２１に衝突した全てのこぼれ球が広いスペースを有する第２の球流路４３側へはね返るように外方へ先下り状に傾斜したガイド斜面４４が形成されている。このガイド斜面４４は振り分け面２１ａの中間部から第１の球流路４２側へ若干離れた位置にわたって形成され、ガイド斜面４４の上端の先端縁４４ａは賞品球口２０の内側開口縁２０ａの直下に配設されている。
【００３９】
スピーカー収納壁２１の内壁面には前後方向に沿って突設されて周方向へ配列された複数個のリブ２１ｂが連接されている。
【００４０】
スピーカー１７は前部のコーン１７ａと後部のマグネット１７ｂとを備え、リブ２１ｂによって後退が規制されて前方への取出しが可能となった状態でスピーカー収納壁２１内に嵌め込まれて収納されている。
【００４１】
セット板１０の前面には各カバー板取付け軸５１にねじ止めされ、スピーカー１７を抜け止めしてスピーカー収納壁２１に固止する機能と、スピーカー１７をカバーする機能と、遊技盤面１２ａから逆流したファール球を案内する機能とを兼有する横長状のスピーカーカバー板１８が取外し可能に結合されている。
【００４２】
スピーカーカバー板１８の中央部付近にはスピーカー音を透過させる多数個の通し孔１８ｄが貫設されてスピーカー１７を抜け止めおよびカバーしてスピーカー収納壁２１に固止するカバー部１８ａが形成され、スピーカーカバー板１８の内端部付近には内方へ先下り状に傾斜した形状を有し、遊技盤面１２ａから逆流したファール球がスピーカー１７を迂回して転落するようにファール球をスピーカー１７から遠ざける方向へ案内する第１誘導斜面１８ｂが形成されている。
【００４３】
スピーカーカバー板１８の後面にはその内端部とカバー部１８ａの両側方とに配設されてカバー板取付け軸５１がそれぞれ挿入された３つの軸挿片１８ｃが突設され、内端部に配設された軸挿片１８ｃの上面には第１誘導斜面１８ｂと逆向きに傾斜した形状を有し、ファール球を上側の緩衝板２７上へ誘導する第２誘導斜面１８ｈが形成されている。
【００４４】
中間部に配設された軸挿片１８ｃの上面には第１の球流路４２側へ振り分けられたこぼれ球を賞品球誘導通路３２内へ誘導する第３誘導斜面１８ｅが内方へ先下り状に形成され、外端部の軸挿片１８ｃの上面には第２の球流路４３側へ振り分けられたこぼれ球を外方の斜め下方へ誘導する第４誘導斜面１８ｆが外方へ先下り状に形成されている。
【００４５】
セット板１０の前面には内方へ先下り状に傾斜した形状を有し、振り分け面２１ａに衝突して第２の球流路４３側へはね返されたこぼれ球を集めて球誘導ケース２６内の下端部へその側方から誘導する第１こぼれ球誘導板２２と、この第１こぼれ球誘導板２２と逆向きに傾斜した形状を有し、発射レール１５上や遊技盤１２の前側からこぼれ落ちたこぼれ球を集めて球誘導ケース２６内の中央部付近へその側方から導入する第２こぼれ球誘導板２３とがそれぞれ一体状に突設されている。
【００４６】
スピーカー収納壁２１の上方からこぼれ落ちたこぼれ球のうち、振り分け面２１ａによって第１の球流路４２側へ振り分けられたこぼれ球は振り分け面２１ａおよびスピーカーカバー板１８の第３誘導斜面１８ｅによって誘導されて球誘導ケース２６の球入口２６ｄに導入され、球誘導ケース２６内を通り抜けて球誘導ケース２６内の下端から前方へ放出され、下球受皿７内に回収される。
【００４７】
スピーカー収納壁２１の上方からこぼれ落ちたこぼれ球のうち、賞品球口２０からこぼれ落ちて振り分け面２１ａによって第２の球流路４３側へ振り分けられたこぼれ球は第１こぼれ球誘導板２２上へ転落して第１こぼれ球誘導板２２によって内方へ誘導されて球誘導ケース２６内の下端部へ導入され、球誘導ケース２６内の下端から前方へ放出されて下球受皿７内に回収される。
【００４８】
ベース枠体９には遊技盤１２の後側に設置されて遊技盤１２をセット枠１１に固止する裏枠４０が前後方向への回動可能で取外し可能に組付けられ、この裏枠４０の下端にはセーフ球を集めて誘導するセーフ球集合通路と、賞品球群を賞品球誘導ケース２６の球入口２６ｄへ誘導する賞品球通路とが形成されている。
【００４９】
続いて、上記した構成を有する実施例の作用と効果を説明する。
本例では遊技盤１２がセットされるベース枠体９の下部に形成されたセット板１０の前面には賞品球群を球受皿内へ誘導する球誘導ケース２６内の賞品球誘導通路３２に連通された第１の球流路４２と、この第１の球流路４２のスペースより広いスペースを有する第２の球流路４３との間に設置されてスピーカー１７が収納されるスペーカー収納壁２１を突設し、このスピーカー収納壁２１の外壁面の上部にはその上方からこぼれ落ちたこぼれ球をはね返して両球流路４２，４３のうちの何れか一方へ振り分ける振り分け面２１ａを形成し、セット板１０の前面には第２の球流路４３側へ振り分けられたこぼれ球を集めて球誘導ケース２６内に導入するこぼれ球誘導板２２を突設し、振り分け面２１ａの頂部付近にはベース枠体９の賞品球口２０からこぼれ落ちたこぼれ球が第２の球流路４３側へはね返るように傾斜したガイド斜面４４を形成してある。
【００５０】
このため、正規の球通路から外れてスピーカー収納壁２１の上方からこぼれ落ちたこぼれ球をベース枠体９に形成したスピーカー収納壁２１およびこぼれ球誘導板２２によって賞品球誘導通路３２に集めて球受皿７内に自動的に回収することができ、こぼれ球を集めて回収する機構を簡略化することができるとともに、スピーカー収納壁２１の上方からこぼれ落ちたこぼれ球を的確に回収してこぼれ球がパチンコ機外へ転り落ちる不具合を解消することができる。
【００５１】
また、スピーカー収納壁２１の上方からこぼれ落ちたこぼれ球を振り分け面２１ａによってはね返してスピーカー１７から遠ざけることができるので、こぼれ球の流れがスピーカー１７の磁力の作用によって阻害される不具合を解消することができる。
【００５２】
さらに、前賞品口２０からこぼれ落ちたこぼれ球をこぼれ球が通過し易い第２の球流路４３側へ集めてスムースに回収することができ、こぼれ球流路での球詰りを少なくすることができる。
【図面の簡単な説明】
【図１】本発明の１実施例を示すパチンコ機の正面図である。
【図２】ベース枠体の要部の正面図である。
【図３】ベース枠体の要部の裏面図である。
【図４】ベース枠体の要部の斜視図である。
【図５】図２のＸ２−Ｘ２線矢視図である。
【図６】図５のＸ３−Ｘ３線断面図である。
【符号の説明】
９  ベース枠体
１０  セット板
１１  セット枠
１２  遊技盤
１７  スピーカー
２１  スピーカー収納壁
２１ａ  振り分け面
３２  賞品球誘導通路
４２，４３  こぼれ球流路
【図１】
0003718807.tif 000002
【図２】
0003718807.tif 000003
【図３】
0003718807.tif 000004
【図４】
0003718807.tif 000005
【図５】
0003718807.tif 000006
【図６】
0003718807.tif 000007